(57)【要約】【課題】遊技者が自らの好みに合わせて演出パターンを変更可能なパチンコ遊技機および遊技演出変更システムを提案する。【解決手段】演出設定サーバ１１０に端末１０１，１０５を介してアクセスすることにより、演出画像の演出パターンを変更する設定変更データを設定し、該設定変更データをダウンロードして携帯用記憶媒体１０１，１０２，１０３に記憶する。そして、携帯用記憶媒体１０１，１０２，１０３からパチンコ遊技機１へ前記設定変更データを転送することにより、該設定変更データに基づいて演出パターンを変更し、該演出パターンに従って画像表示器で演出画像を表示する。本発明によれば、遊技者は、設定変更データを記憶した携帯用記憶媒体１０１，１０２，１０３を携帯すれば、機台を変える場合や遊技場を訪れる毎に、該設定変更データを転送するだけで所望の演出画像による遊技を楽しむことができる。【選択図】図４
2012200467.tif 000002
【特許請求の範囲】
【請求項１】
演出画像を表示する画像表示器と、該画像表示器で演出画像を表示制御する演出画像表示制御手段とを備えたパチンコ遊技機において、
前記演出画像を表示するための演出パターンを設定変更するサービスを提供する演出設定サーバからダウンロードした前記設定変更用の設定変更データを、該設定変更データが記憶された携帯用記憶媒体から読み取る外部データ読取手段と、
該外部データ読取手段から入力した設定変更データに基づいて、前記演出画像の演出パターンを変更する演出態様変更手段と
を備え、
前記演出画像表示制御手段が、演出態様変更手段により変更した演出パターンに従って、前記画像表示器で演出画像を表示制御するようにしていることを特徴とするパチンコ遊技機。
【請求項２】
遊技者により操作可能なリセットボタンを備えると共に、
演出態様変更手段が、前記リセットボタンの操作によって、設定変更データに基づいて演出パターンを変更する処理の解除処理を備えていることを特徴とする請求項１に記載のパチンコ遊技機。
【請求項３】
携帯用記憶媒体に記憶された設定変更データを読み取る外部データ読取手段と、該外部データ読取手段から入力した設定変更データに基づいて、所定の画像表示器で演出画像を表示するための演出パターンを変更する演出態様変更手段と、該演出パターンに従って前記画像表示器で演出画像を表示制御する演出表示制御手段とを備えたパチンコ遊技機と、
該パチンコ遊技機の画像表示器で表示する演出画像の演出パターンを変更するサービスを提供するものであって、端末を介してアクセスされ、該端末から入力される操作信号に基づいて前記演出パターンを変更するための設定変更データを設定するデータ設定手段と、該設定変更データを、前記端末に接続する前記携帯用記憶媒体に記憶させるために、該端末にダウンロードするデータ転送手段とを備えた演出設定サーバと
を備えていることを特徴とする遊技演出変更システム。
【請求項４】
パチンコ遊技機は、遊技者により操作可能なリセットボタンを備え、
演出態様変更手段が、前記リセットボタンの操作によって、設定変更データに基づいて演出パターンを変更する処理の解除処理を備えていることを特徴とする請求項３に記載の遊技演出変更システム。
【請求項５】
演出設定サーバのデータ設定手段は、予め定められた複数の変更用データを備えると共に、
端末からの入力信号に従って変更用データを選択する処理と、選択した変更用データに基づいて設定変更データを設定する処理とを備えていることを特徴とする請求項３又は請求項４に記載の遊技演出変更システム。
【発明の詳細な説明】
【技術分野】
【０００１】
本発明は、演出画像を表示する画像表示器を備えたパチンコ遊技機に関し、該画像表示器で表示する演出画像の演出パターンを遊技者が変更可能とするパチンコ遊技機および遊技演出変更システムに関する。
【背景技術】
【０００２】
パチンコ遊技機では、遊技の進行に合わせて多様な演出が行われる。例えば、特別図柄の変動時にはリーチ演出や予告演出などが実行され、大当り遊技では大当り演出が実行される。一般的に、こうした演出は、画像表示器に表示される演出画像が主体であり、該演出画像の表示に合わせて、スピーカから音声を発し、演出用ランプを点灯する。かかる演出は、パチンコ遊技機の高機能化に伴って重要性が高くなっており、特に、画像表示器に表示される演出画像は、パチンコ遊技機の面白さを左右する重要な要素の一つである。
【０００３】
ところで、パチンコ遊技の遊技性向上を目的として、上記した演出が複雑化する傾向にある。しかし、演出の複雑化に伴って、演出の簡素化を求める意見も生まれている。このような意見に対応するように、特定の演出を実行するか否かを遊技者に選択させるようにした構成が提案されている。例えば特許文献１には、遊技者が操作可能な演出選択スイッチを備え、該スイッチのＯＮ／ＯＦＦ操作によってリーチ予告演出や大当り予告演出などの特定の演出を実行するか否かを選択できるようにしている。
【先行技術文献】
【特許文献】
【０００４】
【特許文献１】特開２００３−３２５７７８号公報
【発明の概要】
【発明が解決しようとする課題】
【０００５】
上述したように、パチンコ遊技機で実行される演出は遊技の面白さを左右する重要要素であるために複雑化する傾向にあるが、遊技者にはそれぞれ異なる嗜好があり、これを全て満足させることは極めて難しい。例えば、複雑化し過ぎた演出よりも、もう少し簡素化した演出を好む遊技者や、さらに、好みのキャラクタを登場させたいと願う遊技者等も存在する。前者の遊技者に対しては、上述した従来の特定演出の実行有無を選択させる構成によりある程度の効果が期待されるが、選択可能な項目が少なく、遊技者を満足させる効果に限界がある。尚仮に、選択可能な項目を複数設定し、遊技者が操作可能な操作装置により選択可能とした構成とすれば、遊技者の満足感を向上できるものの、遊技場を訪れる毎および機台を変える毎に選択する操作を行わなければならず、遊技者にとっては面倒である。
【０００６】
一方、上記のように、遊技者の好みのキャラクタを登場させることは、該キャラクタのデータを遊技機内の記憶装置に記憶していなければならず、記憶していないキャラクタを登場させることはできない。しかし、例えば、同じテーマの演出を行うシリーズとして製造されているパチンコ遊技機の場合には、前作の演出に登場したキャラクタへの愛着が強く、当該キャラクタを最新作の演出でも登場させたいと願う遊技者も存在する。このような場合も、そのキャラクタのデータを記憶していなければ、遊技者の期待に応えられない。
【０００７】
本発明は、かかる現状に鑑みてなされたものであり、遊技者の嗜好に合わせて演出パターンを変更可能なパチンコ遊技機および遊技演出変更システムを提案するものである。
【課題を解決するための手段】
【０００８】
本発明のパチンコ遊技機は、演出画像を表示する画像表示器と、該画像表示器で演出画像を表示制御する演出画像表示制御手段とを備えたパチンコ遊技機において、前記演出画像を表示するための演出パターンを設定変更するサービスを提供する演出設定サーバからダウンロードした前記設定変更用の設定変更データを、該設定変更データが記憶された携帯用記憶媒体から読み取る外部データ読取手段と、該外部データ読取手段から入力した設定変更データに基づいて、前記演出画像の演出パターンを変更する演出態様変更手段とを備え、前記演出画像表示制御手段が、演出態様変更手段により変更した演出パターンに従って、前記画像表示器で演出画像を表示制御するようにしていることを特徴とするものである。
【０００９】
ここで、演出設定サーバとしては、ネットワークを介してアクセス可能なものであり、例えば、インターネットを介してアクセスできるものや、特定のグループ内で構築されたネットワークを介してのみアクセスできるものなどがある。また、携帯用記憶媒体としては、携帯電話、ＵＳＢメモリやマルチメディアカードなどが好適である。また、設定変更データとしては、演出パターンを設定変更するための画像データ、該画像データを文字列化したデータ等が好適に用い得る。さらに、この設定変更データには、演出画像を変更するためのプログラム、画像用のデータ、該画像に合わせて発生させる音声やランプの発光等のデータを含むものとすることが好適である。
【００１０】
かかる構成にあっては、予め設定された設定変更データを携帯用記憶媒体に記憶しておけば、該設定変更データを読み取ることにより、当該設定変更データに基づいて変更した演出パターンに従って演出画像が表示される。すなわち、遊技者が遊技を行う際に、外部データ読取手段によって前記設定変更データを読み込むだけで、所望の演出画像が表示される。そのため、設定変更データを記憶した携帯用記憶媒体を携帯すれば、機台を変える場合等でも、容易に所望の演出画像によって遊技を楽しむことができる。
【００１１】
尚、設定変更データは演出設定サーバからダウンロードするものであることから、演出変更サーバに記憶されるデータ量や種類に応じて、該設定変更データを設定可能な範囲が定まる。すなわち、前記データ量や種類を増加することにより、演出画像をその詳細に至るまで設定することが可能となる。同様に、機台の記憶装置に記憶されていないキャラクタのデータが演出設定サーバで記憶されていれば、これを設定変更データとしてダウンロードすることによって、該キャラクタの登場する演出画像を表示できる。
【００１２】
このように本発明の構成によれば、遊技を行う毎に演出パターンの変更設定をする必要がなく、これに伴う煩わしさを生じないと共に、遊技者は遊技を行う前に自らの嗜好に合わせて、演出画像の演出パターンを比較的詳細に変更する設定を行うことが可能である。
【００１３】
上述した本発明にかかるパチンコ遊技機にあって、遊技者により操作可能なリセットボタンを備えると共に、演出態様変更手段が、前記リセットボタンの操作によって、設定変更データに基づいて演出パターンを変更する処理の解除処理を備えている構成が提案される。
【００１４】
かかる構成にあっては、リセットボタンが操作されることにより、読み込んだ設定変更データによる演出パターンの変更処理を解除して、本来の演出パターンを決める処理によって該演出パターンを定めるようにする。そのため、設定変更データを読み込んだ後にリセットボタンを操作することにより、遊技者個人が有する設定変更データによって変更される演出パターンを、他の遊技者に利用されることを防止できる。又は、他人の設定変更データによる演出パターンが実行されないようにリセットできる。
【００１５】
一方、本発明の遊技演出変更システムは、携帯用記憶媒体に記憶された設定変更データを読み取る外部データ読取手段と、該外部データ読取手段から入力した設定変更データに基づいて、所定の画像表示器で演出画像を表示するための演出パターンを変更する演出態様変更手段と、該演出パターンに従って前記画像表示器で演出画像を表示制御する演出表示制御手段とを備えたパチンコ遊技機と、該パチンコ遊技機の画像表示器で表示する演出画像の演出パターンを変更するサービスを提供するものであって、端末を介してアクセスされ、該端末から入力される操作信号に基づいて前記演出パターンを変更するための設定変更データを設定するデータ設定手段と、該設定変更データを、前記端末に接続する前記携帯用記憶媒体に記憶させるために、該端末にダウンロードするデータ転送手段とを備えた演出設定サーバとを備えていることを特徴とするものである。
【００１６】
ここで、演出設定サーバは、上述と同様に、インターネットを介してアクセス可能なものや、特定グループ内で構築されたネットワークを介してのみアクセス可能なもの等が好適であり、設定変更データは、上述と同様に、画像データや文字列化したデータなどが好適である。また、携帯用記憶媒体は、上述と同様に、携帯電話やＵＳＢメモリなどが好適であり、端末としては、パソコンや携帯電話等が好適である。
【００１７】
かかる構成にあっては、遊技者が予め端末から演出設定サーバにアクセスし、該演出設定サーバの機能に従って設定変更データを設定してダウンロードし、携帯用記憶媒体に記憶しておくことによって、パチンコ遊技を行う際に、前記携帯用記憶媒体から設定変更データをパチンコ遊技機に転送するだけで、当該設定変更データに基づいて変更される演出パターンによる演出画像が表示される。そのため、設定変更データを記憶した携帯用記憶媒体を携帯していれば、機台を変える場合等でも、容易に所望の演出画像によって遊技を楽しむことができる。
【００１８】
また、遊技者は遊技の前に演出設定サーバにアクセスして設定変更データを設定することができるため、時間的な余裕を持って自らの嗜好に合わせた設定を行うことができる。また、演出設定サーバが、演出パターンを変更するために要するデータの量や種類を多く記憶していることによって、該演出画像をその詳細に至るまで変更する設定が可能であり、設定自由度を高くできる。さらに、前記データ量や種類を追加することによって、前記設定自由度を一層高くすることもできる。
【００１９】
ここで、演出設定サーバは、本発明にかかるパチンコ遊技機にあって異なる演出が設定されている各種タイプに、夫々設定可能なデータを記憶し、各種タイプに合わせて設定変更データを設定できるようにすることが好適である。また、異なる演出が設定されたパチンコ遊技機のいずれにも転送可能な設定変更データを設定できるデータ変換処理を備えている構成としても良い。
【００２０】
上述した本発明にかかる遊技演出変更システムにあって、パチンコ遊技機は、遊技者により操作可能なリセットボタンを備え、演出態様変更手段が、前記リセットボタンの操作によって、設定変更データに基づいて演出パターンを変更する処理の解除処理を備えている構成が提案される。
【００２１】
かかる構成にあっては、上述したように、遊技者によるリセットボタンの操作により、読み込んだ設定変更データによる演出パターンの変更処理を解除することから、遊技者個人が有する設定変更データによって変更される演出パターンを、他の遊技者に利用されることを防止できる。又は、他人の設定変更データによる演出パターンが実行されないようにリセットできる。
【００２２】
上述した本発明にかかる遊技演出変更システムにあって、演出設定サーバのデータ設定手段は、予め定められた複数の変更用データを備えると共に、端末からの入力信号に従って変更用データを選択する処理と、選択した変更用データに基づいて設定変更データを設定する処理とを備えている構成が提案される。
【００２３】
かかる構成にあっては、遊技者が演出設定サーバにアクセスして所望の変更用データを選択することによって、容易に設定変更データを設定することができる。
【発明の効果】
【００２４】
本発明のパチンコ遊技機は、上述したように、演出設定サーバからダウンロードして携帯用記憶媒体に記憶された設定変更データを、外部データ読取手段により読み取ることによって、該設定変更データに基づいて演出パターンを変更し、該演出パターンに従って画像表示器で演出画像を表示するようにしたものであるから、遊技者は、設定変更データを記憶した携帯用記憶媒体を携帯すれば、機台を変える場合や遊技場を訪れる毎に、該設定変更データを転送することのみで所望の演出画像による遊技を楽しむことができる。また、遊技者は遊技を行う前に自らの嗜好に合わせて、演出画像の演出パターンを比較的詳細に変更する設定を行うことが可能である。
【００２５】
本発明の遊技演出変更システムは、上述したように、演出設定サーバに端末を介してアクセスすることにより、該端末からの操作信号に基づいて演出画像の演出パターンを変更する設定変更データを設定して、該設定変更データを端末にダウンロードして携帯用記憶媒体に記憶し、該携帯用記憶媒体に記憶した設定変更データをパチンコ遊技機に転送することにより、該パチンコ遊技機で、該設定変更データに基づいて演出パターンを変更して、該演出パターンに従って画像表示器で演出画像を表示するようにしたものであるから、予め設定変更データを記憶した携帯用記憶媒体を携帯していれば、機台を変える場合や遊技場を訪れる毎に、該設定変更データを転送することのみで所望の演出画像による遊技を楽しむことができる。また、遊技者は、遊技する前に、自らの時間的な都合をつけて、設定変更データを設定することができるため、時間的な余裕を持って自らの嗜好に合わせた設定を行うことができる。
【図面の簡単な説明】
【００２６】
【図１】パチンコ遊技機１の斜視図である。
【図２】遊技盤１０の正面図である。
【図３】遊技を制御する制御回路を示すブロック図である。
【図４】遊技演出変更システムの構成を示す概略図である。
【図５】画像表示器１４で演出内容パターンに従って表示される演出画像の説明図である。
【図６】設定変更データに基づいて変更した演出内容パターンに従って表示される演出画像の説明図である。
【発明を実施するための形態】
【００２７】
本発明の実施例を、添付図面を用いて詳述する。
パチンコ遊技機１は、図１に示すように、遊技島に固定される外枠２と、この外枠２の前面開口部を覆う遊技機本体３とからなる。遊技機本体３は、中央上部の略円形の開口部に遊技盤１０が取り付けられた前枠５を備え、この前枠５の一側縁がヒンジ部材４，４を介して外枠２に開閉可能に枢着されている。さらに前枠５には、遊技盤１０を覆うガラス板６が設けられている。また、前枠５の下部には、上受皿７と下受皿８とが上下に列設されており、下受皿８の右側方に発射ハンドル９が突設される。
【００２８】
図２に示すように、遊技盤１０の前面には、遊技球を転動流下させる略円形の遊技領域１２が区画形成されている。そして、遊技領域１２の中央から右側部分には、画像表示器１４が組み付けられた樹脂製のセンターケース１３が配設される。画像表示器１４は、表示画面１５を遊技機正面に向けて配設される。この画像表示器１４は、本発明に係る演出画像を表示するものであり、ＣＲＴや液晶表示器、有機ＥＬなどによって構成される。また、センターケース１３には、画像表示器１４以外に、演出時に発光する演出用ＬＥＤ（発光ダイオード）１６、入賞装置１７ａ、演出時に回転駆動される演出用役物１８、特別図柄表示装置１９などが組み付けられる。また、遊技領域１２には、センターケース１３の周囲に、入賞装置１７ｂ，１７ｃ，１７ｄやゲート装置２１などの各種の遊技部材が設けられる。
【００２９】
かかるパチンコ遊技機１は、既存一般のパチンコ遊技機と同様の遊技内容を有している。すなわち、入賞装置１７ｂに設けられた始動口に遊技球が入賞すると、特別図柄表示装置１９が点滅して特別図柄が変動表示され、一定時間経過後に変動表示が停止する。そして、変動停止した時の特別図柄の停止態様が所定の大当り態様であった場合には、大入賞口を備える入賞装置１７ｃが所定時間開閉作動する大当り遊技が実行されることとなる。
【００３０】
そして、上記画像表示器１４の表示画面１５には、遊技の進行に合わせて図柄やキャラクタなどの演出画像が表示される。例えば、特別図柄が変動表示されている間は、表示画面１５で演出図柄（後述する演出用特別図柄Ａ，Ｂ，Ｃなど）が変動表示されると共に、時折リーチ演出画像や予告演出画像などが表示されることによって、遊技者の大当りへの期待感を盛り上げる（図５参照）。また、大当り遊技中には大当り用の演出画像が表示画面１５に表示され、大当り遊技を盛り上げる。また、演出画像の表示と並行して、スピーカ（図示省略）から演出用音声が発せられるとともに、演出用ＬＥＤ１６が発光・点滅し、さらには、演出用役物１８が適宜タイミングで駆動することで、画像、光、音声などを組み合わせた盛大な演出が行われる。
【００３１】
以下に、図３を参照して、上記パチンコ遊技機１の演出を制御する制御回路について説明する。
【００３２】
パチンコ遊技機１の演出制御は、主制御基板３０（主基板）、演出制御基板３１、画像音声制御基板３２、及び演出用役物駆動基板３３の四つの電子基板によって行われる。
【００３３】
主制御基板３０は、遊技の統括的な制御を実行するものであり、特別図柄の変動や、大当りの発生等を制御するための基板回路を具備している。主制御基板３０は、演出制御基板３１と接続されており、遊技状態に応じて所要の演出制御コマンドを演出制御基板３１に送信し、遊技状態に即した演出を実行させる。
【００３４】
演出制御基板３１は、遊技に合わせて行われる演出を統括的に制御するものである。具体的には、演出制御基板３１は、演出内容パターンを実行するためのプログラムと、実行する演出内容パターンを決定するためのプログラムと、演出内容パターンを設定するための多数のデータとを記憶している。演出制御基板３１は、主制御基板３０から演出制御信号を受信すると、実行する演出内容パターンをプログラムに従って決定する。そして、ＬＥＤ中継基板３４を介して演出用ＬＥＤ１６を発光させるとともに、画像音声制御基板３２及び演出用役物駆動基板３３に制御信号を送信することで、画像表示器１４やスピーカ３７、演出用役物１８を演出内容パターンどおりに協調的に作動させる。
【００３５】
画像音声制御基板３２は、画像表示器１４に向けてビデオ信号を出力するとともに、スピーカ３７に向けてオーディオ信号を出力することで、画像表示器１４の表示内容や、スピーカ３７の音声を制御するものである。具体的には、画像音声制御基板３２は、画像表示器１４用の画像データやスピーカ３７用の音声データを記憶するとともに、画像表示器１４及びスピーカ３７を制御するための制御プログラムを記憶している。そして、画像音声制御基板３２は、演出制御基板３１から特定の演出内容パターンの実行を指示する制御信号を受信すると、所要の画像データをＲＡＭに展開して、画像表示器１４にビデオ信号を送信し、該ビデオ信号の内容を画像表示器１４に表示させる。また、これと並行して音声データをＲＡＭに展開し、音声中継基板３６を介してスピーカ３７にオーディオ信号を送信する。
【００３６】
また、演出用役物駆動基板３３は、演出用役物１８の駆動制御を行うものである。具体的には、演出用役物駆動基板３３は、演出用役物１８を駆動させるためのプログラムを記憶しており、演出制御基板３１から制御信号を受信すると、該制御信号の内容に応じた駆動パターンで演出用役物１８を回転駆動する。
【００３７】
また、主制御基板３０、演出制御基板３１、画像音声制御基板３２、及び演出用役物駆動基板３３には、電源基板３８から電力が供給される。また、画像表示器１４へは、画像音声制御基板３２を介して電力が供給される。
【００３８】
次に、上記した演出制御基板３１および画像音声制御基板３２によって画像表示器１４で表示制御する演出画像の演出態様について説明する。
画像表示器１４の表示画面１５には、上記した特別図柄表示装置１９で表示する特別図柄に対応するように演出用特別図柄Ａ，Ｂ，Ｃが表示される（図５参照）。この演出用特別図柄Ａ，Ｂ，Ｃは、特別図柄表示装置１９の変動開始から停止までの間で変動表示して、該特別図柄表示装置１９で停止した特別図柄の図柄態様に合わせた停止演出態様で確定停止するように表示制御する。すなわち、特別図柄表示装置１９の変動開始に伴って、演出用特別図柄Ａ，Ｂ，Ｃを変動表示開始し、上記した演出内容パターンに従って、演出用特別図柄Ａ，Ｂ，Ｃを順次停止し、特別図柄表示装置１９の変動停止に伴って、演出用特別図柄Ａ，Ｂ，Ｃを所定態様で確定停止する。ここで、演出用特別図柄Ａ，Ｂ，Ｃは、従来のパチンコ遊技機と同様に、リーチ態様や再変動態様などの様々な演出内容パターンに従って表示制御され、この演出内容パターンが、上記した演出制御基板３１によって決定されるようになっている。
【００３９】
さらに、画像表示器１４の表示画面１５には、演出用特別図柄Ａ，Ｂ，Ｃの他に、様々なキャラクタ図柄等を停止または変動表示する。このように表示画面１５に表示される演出用特別図柄Ａ，Ｂ，Ｃとキャラクタ図柄等とは、上記した演出内容パターンに従って表示され、演出画像を構成している。
【００４０】
次に、本発明の要部について説明する。
パチンコ遊技機１の遊技機本体３の前面側には、図１，４のように、携帯電話１０１から発信した赤外線を受信する受信装置４１が配設されている。さらに、遊技機本体３の前面には、ＵＳＢメモリ１０２を接続できるメス型のコネクタ４２と、ＳＤメモリカード１０３を挿入または取出可能なカードスロット４３とが設けられている。これら受信装置４１、コネクタ４２およびカードスロット４３は、図３のように、上記した演出制御基板３１に夫々接続されている。
【００４１】
ここで、携帯電話１０１、ＵＳＢメモリ１０２、ＳＤメモリカード１０３には、後述する設定変更データが記憶され、記憶している設定変更データが、上記した受信装置４１、コネクタ４２またはカードスロット４３を介して演出制御基板３１へ転送される。携帯電話１０１の場合には、その内部メモリに設定変更データを記憶保持し、該設定変更データを赤外線通信により、パチンコ遊技機１の受信装置４１へ送信する。受信装置４１は、赤外線通信を受信すると、該通信データを演出制御基板３１で解析可能なデータ信号に変換して該演出制御基板３１に出力する。また、前記設定変更データが記憶されたＵＳＢメモリ１０２をコネクタ４２に接続すると、該ＵＳＢメモリ１０２内に記憶されている設定変更データを読み込んで、演出制御基板３１に出力する。同様に、ＳＤメモリカード１０３をカードスロット４３に挿入して接続すると、該ＳＤメモリカード１０３に記憶されている設定変更データを読み込んで、演出制御基板３１に出力する。
【００４２】
尚、このような受信装置４１、コネクタ４２、スロット４３は、一般的な電子電気機器装置として用いられているものを適用でき、その詳細については省略する。
【００４３】
上記した設定変更データには、画像表示器１４で表示する演出画像の演出内容パターンを設定変更するための追加プログラムと該設定変更に要する設定変更用の各種データを備えている。ここで、設定変更用のデータとしては、例えば、当該パチンコ遊技機１に記憶されていない新たなキャラクタ等のデータを備えている場合もあり得る。
【００４４】
演出制御基板３１は、上記した設定変更データを入力すると、該設定変更データを構成する追加プログラムと設定変更用の各種データを記憶装置ＲＡＭに記憶する。その後、上記した演出内容パターンを決定するためのプログラムを起動すると、前記追加プログラムを起動すると共に、前記設定変更用の各種データと上記した演出内容パターンを設定するための多数のデータを記憶装置ＲＡＭに展開する。ここで、追加プログラムは、演出内容パターンを決定するプログラムによって一旦決定した演出内容パターンを、設定変更するためのプログラムであり、当該プログラムの後かつ上記した演出内容パターンを実行するプログラムの前に実行されるように追加する。そして、追加プログラムにより決定した演出内容パターンの実行を指示する制御信号を、画像音声制御基板３２へ送信する。
【００４５】
画像音声制御基板３２は、演出制御基板３１により演出内容パターンの実行を指示する制御信号を受信すると、演出内容パターンに従ってビデオ信号を画像表示器１４に送信して、該画像表示器１４に演出画像を表示する。この画像表示器１４で表示される演出画像は、上記した設定変更データに従って変更された演出内容パターンにより表示されるものである。尚、このように変更された演出内容パターンに従って、スピーカ３７により所望の音声を発生する。
【００４６】
また、本実施例のパチンコ遊技機１には、図１のように、遊技機本体３の前面側に、遊技者が操作可能なリセットボタン４５が配設されている。このリセットボタン４５は、遊技者により押圧操作されることにより、所定の操作信号を上記した演出制御基板３１に送信する。尚、リセットボタン４５には、一般的なボタン装置を適用できるため、その詳細については省略する。
【００４７】
演出制御基板３１は、上記したリセットボタン４５から操作信号を受信すると、記憶装置ＲＡＭに記憶している、設定変更データを構成する追加プログラムと設定変更用の各種データを、消去する処理を行う。これにより、演出制御基板３１は、もともと記憶している、演出内容パターンを決定するためのプログラムと、演出内容パターンを設定するための多数のデータとにより、演出内容パターンを決める。このように、リセットボタン４５の操作によって、演出制御基板３１は、その前に入力した設定変更データによる演出内容パターンを変更する処理を解除するようにしている。
【００４８】
このような本実施例のパチンコ遊技機１にあって、上述した受信装置４１、コネクタ４２およびカードスロット４３により本発明にかかる外部データ読取手段が構成されている。また、演出制御基板３１により本発明にかかる演出態様変更手段が構成されており、演出制御基板３１および画像音声制御基板３２により本発明にかかる演出画像表示制御手段が構成されている。さらに、携帯電話１０１、ＵＳＢメモリ１０２、ＳＤメモリカード１０３が、本発明にかかる携帯用記憶媒体である。また、本実施例にあって、画像表示器１４で表示される演出画像の演出内容パターンが、本発明にかかる演出パターンである。
【００４９】
一方、上記した携帯電話１０１、ＵＳＢメモリ１０２、ＳＤメモリカード１０３等に記憶される設定変更データは、図４のように、該携帯電話１０１やパソコン１０５等からインターネット１０８を介してアクセスした演出変更サーバ１１０により設定される。ここで、演出変更サーバ１１０には、中央制御装置ＣＰＵ、記憶装置ＲＯＭ、記憶装置ＲＡＭ等を備えた主制御基板や、該主制御基板に接続された各種制御基板等を備えている。
【００５０】
この演出変更サーバ１１０には、上記した演出画像の演出内容を変更するサービスを提供する上記したホームページを表示するためのプログラムおよびデータと、該演出内容を設定変更する操作をさせるためのウインドウを表示するためのプログラム及びデータと、設定変更データを作成するための複数の変更用データと、該変更用データから設定変更データを設定するデータ設定用プログラムと、インターネット１０８を介して接続している携帯電話１０１やパソコン１０５へ設定変更データをダウンロードするデータ転送プログラムとが記憶されている。この演出変更サーバ１１０は、ホームページ上で設定変更データを作成する手続きで入力した操作信号を、携帯電話１０１やパソコン１０５から受信すると、データ設定用プログラムを起動し、前記操作信号に従って変更用データを選択して、設定変更データを作成する。そして、データ転送プログラムを起動して、前記作成した設定変更データを前記携帯電話１０１やパソコン１０５にダウンロードする。
【００５１】
すなわち、このホームページのアドレスを、インターネット１０８に接続した携帯電話１０１やパソコン１０５から入力することにより、該ホームページにアクセスする。そして、ホームページ上で、設定変更に対応した複数種類のパチンコ遊技機１のなかから所望の種類のパチンコ遊技機１を選択して、その演出画像の演出内容（演出内容パターン）を設定するためのウインドウを開き、所定の手順に従って所望の演出内容に変更するための設定変更データを作成する手続きを行う。この手続きとしては、上記した変更用データに対応する選択項目を、演出画像の流れに沿って階層状に順次表示し、遊技者が任意に前記選択項目を選択していくことによって行う。そして、選択項目を選択することにより入力した情報を操作信号に変換する。この手続きを満了すると、前記操作信号をインターネット１０８を介して演出変更サーバ１１０に送信する。演出変更サーバ１１０では、前記操作信号に従って変更用データを選択し、選択した変更用データにより設定変更データを設定する。そして、この設定変更データを、端末に合ったデータ信号に変換にして、インターネット１０８を介して携帯電話１０１やパソコン１０５にダウンロードする。携帯電話１０１の場合には、ダウンロードした設定変更データを内部メモリに記憶することにより、上述したようにパチンコ遊技機１に転送できる。また、パソコン１０５の場合には、ダウンロードした設定変更データをＵＳＢメモリ１０２やＳＤメモリカード１０３に記憶することにより、上述したようにパチンコ遊技機１に転送できる。
【００５２】
本実施例の演出変更サーバ１１０にあって、その主制御基板により、本発明にかかるデータ設定手段とデータ転送手段とが構成されている。
【００５３】
次に、画像表示器１４で表示する演出画像の演出内容（演出内容パターン）を変更する場合について、該画像表示器１４の表示態様に従って例示する。
例えば、特別図柄表示装置１９の変動開始から所定の当り特別図柄態様で変動停止するまでの間に、画像表示器１４で表示される演出画像の演出内容パターンとして、上述した演出用特別図柄Ａ，Ｂ，Ｃや各種キャラクタ図柄ｆ，ｇ，ｈ，ｉ，ｊを表示するパターンが決定されるとする。特別図柄表示装置１９の変動開始に伴って、図５（Ａ）のように、演出用特別図柄Ａ，Ｂ，Ｃを変動表示開始すると共に、キャラクタ図柄（魚）ｆを表示する。そして、図５（Ｂ）のように、演出用特別図柄Ａ，Ｃが順次停止していく過程で、リーチ予告演出としてキャラクタ図柄（魚群の登場）ｇを表示し、その後、図５（Ｃ）のように、演出用特別図柄Ａ，Ｃを所定のリーチ態様で停止すると共に、リーチ演出としてキャラクタ図柄（魚群）ｈを表示する。その後、図５（Ｄ）のように、特別図柄表示装置１９の停止までの間に、大当り予告演出としてキャラクタ図柄（クジラ）ｉを表示し、その後に、図５（Ｅ）のように、特別図柄表示装置１９の停止に伴って演出用特別図柄Ａ，Ｂ，Ｃを所定の当り態様で停止すると共に、大当り演出としてキャラクタ図柄ｊ（クジラ群）を表示する。
【００５４】
ここで、遊技者がリーチ予告演出や、演出用特別図柄Ａ，Ｃによるリーチ態様の表示を変更したい場合には、遊技を行う前に、例えば携帯電話１０１からインターネット１０８を介して演出変更サーバ１１０に接続して該当するホームページにアクセスする。そして、このホームページ上の、演出画像の演出内容を変更する手続きに従って、リーチ予告演出やリーチ態様の表示を変更する。
【００５５】
遊技者が、リーチ予告演出の表示を止める選択項目と、演出用特別図柄Ａ，Ｃによるリーチ態様の表示を止める選択項目と、リーチ演出するキャラクタ図柄ｈに変えて新たなキャラクタ図柄ｋを表示する選択項目とを選択したとする。尚、キャラクタ図柄ｋは、パチンコ遊技機１に予め記憶されていないものとする。
【００５６】
このように選択項目を決定すると、該選択項目を示す操作信号を演出変更サーバ１１０に送信する操作を行う。そして、前記操作信号を受信した演出変更サーバ１１０は、該操作信号に従って変更データを選択することにより、演出内容の設定変更するための追加プログラムと各種データから構成される設定変更データを設定し、当該設定変更データを携帯電話１０１へダウンロードする。そして、遊技者は、携帯電話１０１に前記設定変更データを記憶する。
【００５７】
この後に、遊技者が、パチンコ遊技機１により遊技開始する際に、携帯電話１０１の赤外線通信機能を使用して、当該携帯電話１０１に記憶している設定変更データを、パチンコ遊技機１の受信装置４１に向けて発信する。パチンコ遊技機１では、受信した設定変更データの追加プログラムと各種データとを記憶装置ＲＡＭに記憶する。このパチンコ遊技機１による遊技によって、特別図柄表示装置１９を変動する条件が成立すると、演出制御基板３１により、前記追加プログラム等により設定変更した演出内容パターンを決定する。そして、特別図柄表示装置１９の変動開始に伴って、画像表示器１４では前記演出内容パターンに従って演出画像を表示制御する。すなわち、図６（Ａ）のように、演出用特別図柄Ａ，Ｂ，Ｃを変動開始すると共にキャラクタ図柄（魚）ｆを表示し、本来ならば演出用特別図柄Ａ，Ｃによりリーチ態様を表示する場合（図５（Ｂ）参照）にも、図６（Ｂ）のように、リーチ予告演出のキャラクタ図柄ｇを表示せずに前記キャラクタ図柄ｆの表示を継続する。そして、図６（Ｃ）のように、演出用特別図柄Ａ，Ｃを非リーチ態様で表示し、新たなキャラクタ図柄（サメ）ｋを表示する。これにより、遊技者は、他人に知られることなく、リーチとなっていることを知得することができる。その後、図６（Ｄ）のように、演出用特別図柄Ｃを再変動すると共に大当り予告演出であるキャラクタ図柄（クジラ）ｉを表示し、その後に、図６（Ｅ）のように、特別図柄表示装置１９の停止に伴って演出用特別図柄Ａ，Ｂ，Ｃを所定の当り態様で停止し、大当り演出としてキャラクタ図柄（クジラ群）ｊを表示する。
【００５８】
このように、遊技者が設定変更した演出内容パターンでは、リーチ予告演出、演出用特別図柄Ａ，Ｂ，Ｃのリーチ態様を表示しないようにしている。これは、例えば、遊技者が他人にリーチになることやリーチの発生を知られないようにしたい場合が考えられる。そして、遊技者自身のみがリーチの発生を知ることができるように、本来は演出表示されないキャラクタ図柄ｋを表示させるようにしている。この演出内容パターンは、遊技者が自らの嗜好に合わせて設定されたものである。
【００５９】
尚、遊技者は、当該パチンコ遊技機１による遊技を終了する際に、上記したリセットボタン４５を操作することにより、上述した演出内容パターンが他人に利用されないようにすることができる。これにより、遊技者の嗜好の秘匿性を保つことができる。
【００６０】
本実施例のパチンコ遊技機１、又は該パチンコ遊技機１と演出変更サーバ１１０によれば、遊技者は、遊技を行う前に予め、携帯電話１０１等の端末から演出変更サーバ１１０にアクセスして自らの嗜好に合わせて演出内容（演出内容パターン）を変更するための設定変更データをダウンロードして記憶しておくことができる。そして、遊技を行う際にこの設定変更データをパチンコ遊技機１に転送することによって、設定変更した演出内容パターンに従って画像表示器で演出画像が表示される。このように、遊技者は、自らの嗜好に合わせた演出画像による遊技を楽しむことができる。そして、遊技を行う前に、予め設定変更データを決定することができるため、遊技を行う際に、設定変更データの作成に要する手間も省くことができる。さらに、一旦記憶した設定変更データを他のパチンコ遊技機１に転送することにより、同様に演出画像が変更されることから、機台の変更の度に設定する必要も無い。特に、演出変更サーバ１１０が、複数種類のパチンコ遊技機１に対応する設定変更データを設定可能とする機能を備えている場合には、各種パチンコ遊技機１で自らの嗜好に合わせた演出画像により遊技を行うことが容易にできる。この場合には、一つの設定変更データを、複数種類のパチンコ遊技機１で読み込み可能とするように設定するもの、又は、各種パチンコ遊技機１に応じて夫々の設定変更データを設定可能とするもののいずれかが好適に用いられる。
【００６１】
一方、上述した実施例にあっては、携帯電話、ＵＳＢメモリ、ＳＤメモリカードを携帯用記憶媒体としているが、その他にも、ｍｉｎｉＳＤカード等のマルチメディアカードを用いることも可能である。そして、パチンコ遊技機が、様々なマルチメディアカードに夫々対応するカードスロットを備えたものである構成が好適である。
【００６２】
また、上述した実施例にあっては、インターネットを介して接続する演出変更サーバによって設定変更データを設定するようにしたものであるが、その他の構成として、遊技場内のみで構築されたネットワークに演出変更サーバが接続されており、当該遊技場内に配設された所定の端末で設定変更データを設定可能とするようにしても良い。この場合には、専用のＩＣカード等に該設定変更データを記憶して持ち運びできるようにしても良い。
【００６３】
本発明にあっては、上述した実施例に限定されるものではなく、上述の実施例以外の構成についても本発明の趣旨の範囲内で適宜変更して実施可能である。
【符号の説明】
【００６４】
１  パチンコ遊技機
１４  画像表示器
４１  受信装置（外部データ読取手段）
４２  コネクタ（外部データ読取手段）
４３  カードスロット（外部データ読取手段）
４５  リセットボタン
１０１  携帯電話（携帯用記憶媒体、端末）
１０２  ＵＳＢメモリ（携帯用記憶媒体）
１０３  ＳＤメモリカード（携帯用記憶媒体）
１０５  パソコン（端末）
１１０  演出変更サーバ  
【図１】
2012200467.tif 000003
【図２】
2012200467.tif 000004
【図３】
2012200467.tif 000005
【図４】
2012200467.tif 000006
【図５】
2012200467.tif 000007
【図６】
2012200467.tif 000008